(57)【要約】【課題】構成が簡易であると共に、使用済みの手術用縫合針を確実に保持することが可能な手術用縫合針カウンター及び手術用縫合針セットを提供する。【解決手段】手術用縫合針５１を載置する針保持部１１と、該針保持部１１に向かって折り返し可能な複数の折返部１２と、該複数の折返部１２に各々付された前記縫合針５１の計数用の数字からなる数表示部１３と、を有する針保持シート１０と、前記針保持部１１及び前記折返部１２に設けられ、前記縫合針を付着させる針用粘着部２０と、前記針保持シート１０を任意の場所に取り付け可能にする針保持シート固定部３０と、を備え、前記複数の折返部１２間に、任意の位置での切断を可能にする切離手段４１が設けられる。【選択図】図１
2011010812.tif 000002
【特許請求の範囲】
【請求項１】
手術用縫合針を保持、計数する手術用縫合針カウンターにおいて、
前記縫合針を載置する針保持部と、該針保持部に向かって折り返し可能な複数の折返部と、該複数の折返部に各々付された前記縫合針の計数用の数字からなる数表示部と、を有する針保持シートと、
前記針保持部及び前記折返部に設けられ、前記縫合針を付着させる針用粘着部と、
前記針保持シートを任意の場所に取り付け可能にする針保持シート固定部と、を備え、
前記複数の折返部間に、任意の位置での切断を可能にする切離手段が設けられることを特徴とする手術用縫合針カウンター。
【請求項２】
前記針用粘着部と前記針保持シート固定部が、両面テープから構成されることを特徴とする請求項１に記載の手術用縫合針カウンター。
【請求項３】
前記針保持シートがさらに、前記針保持シート固定部による貼着を剥がすための把持部を備えることを特徴とする請求項２に記載の手術用縫合針カウンター。
【請求項４】
前記切離手段がミシン目であることを特徴とする請求項１に記載の手術用縫合針カウンター。
【請求項５】
前記折返部に折り返しを容易にするための折返手段が設けられることを特徴とする請求項１に記載の縫合針カウンター。
【請求項６】
前記折返手段がミシン目であることを特徴とする請求項５に記載の手術用縫合針カウンター。
【請求項７】
隣り合う前記折返部の前記数表示部に表示された数字の小さい側には、前記ミシン目を形成せず間隙を設けることを特徴とする請求項６に記載の手術用縫合針カウンター。
【請求項８】
複数の手術用縫合針と共に、前記請求項１乃至７の何れか一項に記載の手術用縫合針カウンターを包装して成ることを特徴とする手術用縫合針セット。
【請求項９】
前記複数の手術用縫合針と、前記手術用縫合針カウンターの複数の折返部が、同数であることを特徴とする請求項８に記載の手術用縫合針セット。
【発明の詳細な説明】
【技術分野】
【０００１】
本発明は、外科手術に用いられた使用済縫合針の計数、廃棄処理を簡易な構成で容易にする手術用縫合針カウンター、及びその手術用縫合針カウンターを含む手術用縫合針セットに関する。
【背景技術】
【０００２】
一般に、外科手術に用いられる縫合針は、体内への取り残し等の事故を未然に防ぐため、予め必要な数を準備してその本数を記録し、使用後に未使用針、使用済針の本数を足して記録と照合、確認する作業が行われている。その際、使用済針のカウントを正確に行うと共にその廃棄処理を容易にするために、使用済の縫合針を保持できる手術用縫合針カウンターが従来から用いられてきた。
【０００３】
従来の手術用縫合針カウンターには、台紙や容器にシールやマグネット等が設けられており、ここに使用済針を付着させるもの（例えば、特許文献１参照）や、台紙や容器にスポンジ等が設けられており、ここに使用済針を刺入するもの（例えば、特許文献１、特許文献２参照）等があった。
【先行技術文献】
【特許文献】
【０００４】
【特許文献１】特開２００１−２２４６０３号公報
【特許文献２】特開２００５−３３４１２３号公報
【発明の概要】
【発明が解決しようとする課題】
【０００５】
しかしながら、上記した従来の縫合針カウンターには、以下のような問題があった。
（１）台紙にシール、マグネット、スポンジ等が設けられた縫合針カウンターは、廃棄する際に既に付着、刺入した縫合針が外れることがあった。これは単に怪我等の恐れがあるだけでなく、院内感染予防の観点からも非常に危険である。
（２）蓋付きの容器にシール、マグネット、スポンジ等が設けられた縫合針カウンターは、（１）のように縫合針が脱落する危険性は低いが、蓋がある分大きくなり嵩張ると共に、その蓋が容易に外れない工夫を施す必要があるため、構造も複雑化する。そのため価格が上昇する上、医療廃棄物の増加にもつながるという難点があった。
【０００６】
本発明は、上記状況に鑑み、構成が簡易であると共に、使用済みの手術用縫合針を確実に保持することが可能な手術用縫合針カウンター及び手術用縫合針セットを提供することを目的とする。
【課題を解決するための手段】
【０００７】
本発明は、上記課題を解決するために、手術用縫合針を保持、計数する手術用縫合針カウンターにおいて、前記縫合針を載置する針保持部と、該針保持部に向かって折り返し可能な複数の折返部と、該複数の折返部に各々付された前記縫合針の計数用の数字からなる数表示部と、を有する針保持シートと、前記針保持部及び前記折返部に設けられ、前記縫合針を付着させる針用粘着部と、前記針保持シートを任意の場所に取り付け可能にする針保持シート固定部と、を備え、前記複数の折返部間に、任意の位置での切断を可能にする切離手段が設けられることを特徴とする手術用縫合針カウンターを提供する。
【０００８】
ここで、前記針用粘着部と前記針保持シート固定部は、両面テープから構成されるのが好適である。そして、前記針保持シートがさらに、前記針保持シート固定部による貼着を剥がすための把持部を備えていると良い。
【０００９】
また、前記切離手段はミシン目であるのが好適である。
【００１０】
さらに、前記折返部に折り返しを容易にするための折返手段が設けられるのが良い。このとき、前記折返手段はミシン目であるのが好ましい。さらに、隣り合う前記折返部の前記数表示部に表示された数字の小さい側には、前記ミシン目を形成せず間隙を設けるようにしても良い。
【００１１】
さらに、本発明は、上記課題を解決するために、複数の手術用縫合針と共に、上記の手術用縫合針カウンターを包装して成ることを特徴とする手術用縫合針セットを提供する。
【００１２】
ここで、前記複数の手術用縫合針と、前記手術用縫合針カウンターの複数の折返部が、同数であるのが好適である。
【発明の効果】
【００１３】
本発明の手術用縫合針カウンターによれば、構造が簡易であると共に素材も安価なため、低コスト化を実現することができる。
【００１４】
また、全体がシートの薄さで非常にコンパクトであり、医療廃棄物の量を抑えると共に、手術用縫合針セットとして縫合針と一緒にコンパクトに包装することが可能となる。
【図面の簡単な説明】
【００１５】
【図１】本発明の一実施形態に係る手術用縫合針カウンターの概観を示す模式図である。
【図２】図１に示す手術用縫合針カウンターの背面図及び側面図である。
【図３】図１に示す手術用縫合針カウンターの分解斜視図である。
【図４】図１に示す手術用縫合針カウンターの針保持シートの概略図である。
【図５】図１に示す手術用縫合針カウンターの使用方法を示す模式図（その１）である。
【図６】図１に示す手術用縫合針カウンターの使用方法を示す模式図（その１）である。
【図７】図１に示す手術用縫合針カウンターの使用方法を示す模式図（その１）である。
【図８】本発明の一実施形態に係る手術用縫合針セットの概観を示す模式図である。
【発明を実施するための形態】
【００１６】
以下、本発明の実施の形態について、図面を参照しながら詳細に説明する。
【００１７】
図１及び図２は、本発明の一実施形態に係る手術用縫合針カウンターの概観を示す模式図、図３はその手術用縫合針カウンターの分解斜視図である。図１（ａ）は手術用縫合針カウンターの表面、図１（ｂ）はその裏面を示している。また、図２（ａ）はその背面図、図２（ｂ）は側面図である。
【００１８】
これらの図に示すように、手術用縫合針カウンター（以下、単に「針カウンター」という）１は、針保持シート１０と、使用済針を付着させるための針用粘着部２０と、針保持シート１０を任意の台等に固定するための固定用粘着部（針保持シート固定部）３０から構成される。
【００１９】
まず、針保持シート１０は、図４に示すような略透明の樹脂シートから成る。図４（ａ）はその針保持シート１０の表面、図４（ｂ）はその裏面を示している。これらの図に示すように、針保持シート１０は、裏面に固定用粘着部３０が設けられると共に表面には使用済縫合針を載置する長尺形状の針保持部１１と、その針保持部１１から垂直に突出した形状を有し、針保持部１１側に折り返すことで使用済針を保持可能な複数（ここでは例として十個）の折返片１２と、針保持部１１の両端に設けられ、針保持部１１を任意の台等に貼り付けた後、剥がす際に把持するための把持片１４を有している。
【００２０】
針保持部１１には、各折返片１２を切り離しできるよう、折返片１２の間隙に沿った切離用ミシン目４１Ａが入っている。また、針保持部１１と折返片１２の境目には、折り返しを容易にするため折返用ミシン目４２Ａが入っている。
【００２１】
針保持シート１０は、使用済針が確実に保持されたことを視認できるよう、上述したように略透明のシート素材から構成される。このシート素材としては、例えばＰＥＴ（ポリエチレンテレフタラート）等の合成樹脂が好適である。縫合針の先端を通したり縫合針によって変形したりすることがない程度の硬さと厚さ、及び折返片１２を容易に折り返すことができる程度の柔軟性を併せ持つ必要がある。
【００２２】
なおここでは、折返片１２の折り返しを容易にするために、針保持シート１０に折返用ミシン目４２Ａを形成しているが、ミシン目ではなく溝等を形成するようにしても良い。
【００２３】
折返片１２には、一目で保持した使用済針の本数が分かるように、数表示部１３が設けられている。この数表示部１３には、図４に示すように、端から順に連なる番号が付されている。
【００２４】
針保持シート１０の表面には、使用済針を付着させる針用粘着部２０が設けられる。針用粘着部２０は、粘着材２１と剥離紙２２から構成される。粘着材２１が設けられる範囲は、図４（ａ）に斜線で示す通り、針保持部１１と、折返片１２を折返用ミシン目４２Ａで折り返した際に針保持部１１と接触する部分に亘る。この粘着材２１が設けられた部分全体を覆うように剥離紙２２が設けられる。この針用粘着部２０としては、両面テープが用いられるのが好適である。この両面テープに用いられる粘着材２１は、使用済針が確実に保持されたことを視認できるよう、針保持シート１０と同様に略透明又は半透明のものを用いる。
【００２５】
一方、針保持シート１０の裏面には、固定用粘着部３０が設けられている。この固定用粘着部３０により、針保持シート１０を台や壁、衣服等、様々な個所に固定して用いることが可能になる。固定用粘着部３０は、粘着材３１と剥離紙３２から構成される。粘着材３１は、図３（ｂ）に斜線で示す通り、針保持部１１の裏面に設けられる。さらに、この粘着材３１が設けられた部分全体を覆うように剥離紙３２が設けられる。この固定用粘着部３０としては、針用粘着部２０と同様、両面テープが用いられるのが好適である。なお、針用粘着部２０の剥離紙２２と、固定用粘着部３０の剥離紙３２とには、分かりやすいよう着色したものを用いるのが良い。さらに剥離紙２２、３２は、区別がしやすいようにそれぞれ異なる色のものを用いるのが好適である。
【００２６】
針カウンター１は、針保持シート１０に針用粘着部２０と固定用粘着部３０が配置された後に、切り離し用と折り返し用のミシン目がレーザー加工によって設けられる。そのため、図３に示すように、針用粘着部２０の粘着材２１と剥離紙２２には、針保持シート１０と同様に折返片１２を切り離す位置に切離用ミシン目４１Ｂが入っている。また、固定用粘着部３０の粘着材３１と剥離紙３２にも同様に、切離用ミシン目４１Ｃが入っている。さらに、針用粘着部２０の粘着材２１と剥離紙２２には、折返用ミシン目４２Ｂが入っている。これらのミシン目は、レーザー加工により形成するため、その位置や間隔等が自由に設定できる。
【００２７】
以下、上記構成を有する本発明の手術用縫合針カウンターの使用方法について、図５乃至図７を参照しながら説明する。
【００２８】
まず、図５（ａ）に示すように、使用する縫合針の本数と同数の折返片１２を、切離用ミシン目４１で切り離す。ここでは、５本の縫合針を使用する場合を例に挙げる。
【００２９】
次に、図５（ｂ）に示すように、固定用粘着部３０の剥離紙３２を剥がし、粘着材３１を露出させる。そして、図６（ａ）に示すように、粘着材３１により針保持シート１０を任意の台等に固定する。このように、針カウンター１の必要な部分を固定して、針カウンター１を取り扱う際に不用意に滑らせてしまったり引っくり返してしまったりというような危険なミスを防止する。
【００３０】
次いで、図６（ｂ）に示すように、針用粘着部２０の剥離紙２２を剥がし、切離用ミシン目４１Ｂに沿って折り返して粘着材２１の必要部分を露出させる。なお、図６（ｃ）に示すように、剥離紙２２を切離用ミシン目４１Ｂに沿って切り取るようにしても良い。このとき、折返用ミシン目４２Ｂに沿って、隣接する剥離紙２２まで剥がしてしまうことがないように、折返用ミシン目４２Ｂは、予め数表示部１３の番号が若い側に隙間４３を残して形成されているのが好適である。なお、図示のように一番若い番号「１」の折返用ミシン目４２Ｂは、上記のような心配がないため、隙間４３を設ける必要は特にない。なお、以下では、図６（ｂ）に示すように剥離紙２２を切離用ミシン目４１Ｂに沿って折り返した例について説明する。
【００３１】
次に、図７（ａ）に示すように、使用済縫合針５１を、剥離紙２２を剥がした針保持シート１０の針保持部１１側に載せる。使用済縫合針５１は、粘着材２１により針保持シート１０に付着する。
【００３２】
次いで図７（ｂ）に示すように、粘着材２１とこれに付着した使用済縫合針５１が内側になるように、折返片１２を折返用ミシン目４２Ａから針保持部１１側へ、折り返す。これにより、折返片１２と針保持部１１は粘着材２１により互いに貼り付いて、使用済縫合針５１の周囲を封じるため、使用済縫合針５１が保持される。
【００３３】
その後、剥離紙２２の必要部分を剥がす、使用済縫合針５１を載せる、折返片１２を折り返す、という一連の流れを必要回数繰り返し、使用済縫合針５１のカウントが終了したら、図７（ｃ）に示すように、把持片１４から針カウンター１４全体を貼り付けた台等から剥がし、そのまま廃棄物として処理する。
【００３４】
以下、上記のような構成の手術用縫合針カウンターを含む本発明の手術用縫合針セットについて、図８を参照しながら説明する。図８は、本発明の一実施形態に係る手術用縫合針セットの概略を示す模式図である。
【００３５】
図８に示すように、本発明に係る手術用縫合針セット６０は、内部に複数本の手術用縫合針を収納した手術用縫合針パック５０と、上記実施形態に係る手術用縫合針カウンター１とが、一つのパッケージ６１に包装されて構成されている。縫合針カウンター１の折返片１２の数は、手術用縫合針パック５０に収納された手術用縫合針の本数と一致しているのが好ましい。
【００３６】
このように、本発明の手術用縫合針カウンターが非常に省スペースであるため、
手術用縫合針パックと共に包装して、コンパクトな手術用縫合針セットとすることができる。
【００３７】
上述のように、本発明の手術用縫合針カウンターによれば、構造が簡易であると共に素材も安価なため、低コスト化を実現することができる。また、全体がシートの薄さで非常にコンパクトであり、医療廃棄物の量を抑えると共に、手術用縫合針セットとして縫合針と一緒にコンパクトに包装することが可能となる。
【００３８】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００３９】
本発明は、外科手術に用いられた使用済縫合針の計数、廃棄処理を簡易な構成で容易にする手術用縫合針カウンター、及びその手術用縫合針カウンターを含む手術用縫合針セットに関し、産業上の利用可能性を有する。
【符号の説明】
【００４０】
１      手術用縫合針カウンター
１０    針保持シート
１１    針保持部
１２    折返片
１３    数表示部
１４    把持片
２０    針用粘着部
２１    粘着材
２２    剥離紙
３０    固定用粘着部
３１    粘着材
３２    剥離紙
４１Ａ  切離用ミシン目
４１Ｂ  切離用ミシン目
４１Ｃ  切離用ミシン目
４２Ａ  折返用ミシン目
４２Ｂ  折返用ミシン目
４３    隙間
５０    手術用縫合針パック
５１    使用済縫合針
６０    手術用縫合針セット
６１    パッケージ
【図１】
2011010812.tif 000003
【図２】
2011010812.tif 000004
【図３】
2011010812.tif 000005
【図４】
2011010812.tif 000006
【図５】
2011010812.tif 000007
【図６】
2011010812.tif 000008
【図７】
2011010812.tif 000009
【図８】
2011010812.tif 000010